(57)【要約】【課題】多様な用途に使用可能として汎用性を高めるとともに、袋詰め装置としての機能を損なうことなく、軽量でコンパクトな粒体計量袋詰め装置を提供する。【解決手段】粒体を導入するホッパー２と、このホッパー２の排出口２ａを開閉するシャッター３と、前記ホッパー２の排出口２ａの下部に配置する計量器２０とからなり、ホッパー２は４枚の面板５〜８を逆四角錐状に組み付けて構成される。ホッパー２の排出口２ａが箱型ケース１０の中心Ｓから前端寄りに偏移し、かつ、前面の操作パネル１２を避けるようにこの各面板５〜８の傾斜角を変えることによって、ホッパー２をコンパクト化できる。【選択図】  図２
2014211441.tif 000002
【特許請求の範囲】
【請求項１】
開口した袋に粒体を導入するホッパーと、このホッパーの排出口を開閉するシャッターと、前記排出口の下部に配置する計量器とからなり、前記計量器で計測した粒体の量に応じて前記シャッターを開閉制御する粒体計量袋詰め装置において、前記ホッパーを箱型ケースで覆うとともに、この箱型ケースを支持脚で支持して全体としてテーブル型としたことを特徴とする粒体計量袋詰め装置。
【請求項２】
前記箱型ケースの前面一端部に操作パネルを配置するとともに、前記ホッパーが逆角錐型に組み合わせた４枚の面板で構成され、この各面板の下端部に前記排出口を形成し、この排出口を前記箱型ケースの中心前端寄りに偏移した位置に形成するとともに、前記ホッパーを構成する一部の面板は、前記操作パネルを避けるように、前記各面板の傾斜角をそれぞれ異なるように形成したことを特徴とする請求項１記載の粒体計量袋詰め装置。
【請求項３】
前記ホッパーの内面に位置して前記排出口の上部に逆Ｖ字状の案内板を形成したことを特徴とする請求項１又は２記載の粒体計量袋詰め装置。
【発明の詳細な説明】
【技術分野】
【０００１】
本発明は、例えば粒体を計量して袋詰めする計量袋詰め装置に関する。
【背景技術】
【０００２】
従来から例えば、特許文献１などにおいて、地面上に設置された計量装置に袋が保持具により自立した状態で保持され、この袋の袋口に穀粒を貯留するホッパーの落下口を位置させ、前記計量装置とを協働させ、袋に供給される穀粒の重量に応じて前記落下口を開閉するシャッターにより、落下口を全開・半開・全閉に切り替えるようにした穀粒自動計量機が開示されている。また、特許文献２には、穀粒を貯留するホッパーの落下口部に、計量装置と協働して落下口を開閉するシャッターにより自動的に所定量のものを袋詰めする計量機において、前記落下口部に計量装置を取り付け、該計量装置に空袋の開口部を掛けて、吊り下げ荷重を計量して袋詰めするように構成にした穀粒自動計量機が開示されている。
【先行技術文献】
【特許文献】
【０００３】
【特許文献１】特開平１１−２９１０３号公報
【特許文献２】特開２００１−１６５７５６公報
【発明の概要】
【発明が解決しようとする課題】
【０００４】
前記特許文献１、２に示す穀粒自動計量機は、何れも縦型穀粒選別機にシャッター機構が組み込まれており、袋詰めする対象が選別した穀粒に限られるため、選別した穀粒の計量・袋詰めといった用途に限定され、他の用途に使用できないなど汎用性に乏しい面があった。このため、縦型穀粒選別機に限らず、多種多様な用途でも使用可能な汎用性の高い穀粒計量袋詰め装置として、特許文献１、２で示すような計量・袋詰め機能と選別機が一体化した計量袋詰め装置から計量・袋詰め機能部分のみを分離した粒体計量袋詰め装置も市販されている。このような計量・袋詰め機能部分のみ粒体計量袋詰め装置は例えば、図５に示すように、中央に計量器ａを配置するためのパイプをコの字状に組んだ支持部ｂと、この支持部ｂから立設した中空角柱状の支柱部ｃと、この支柱部ｃの上部に固定した貯留タンクｄと、貯留タンクｄの落下口を開閉するシャッターｅとから構成され、貯留タンクｄの上部に形成した投入口ｄ１から貯留タンクｄ内に粒体を供給するとともに、貯留タンクｄ内の粒体を貯留タンクｄの落下口から袋に供給することによって、計量器ａによって袋に供給される粒体の重力を計量し、自動的に所定量の粒体を袋詰めするようにしている。
【０００５】
このような粒体計量袋詰め装置は、装置の全高が１７０〜１８０cmと高く、貯留タンクｄの上部に形成した投入口ｄ１の高さより例えば小型乾燥機等の排出口高さが低いため、接続できる他装置の範囲に制限があった。また、構造的に貯留タンクｄに粒体を供給した際、貯留タンクｄの荷重により中空角柱状の支柱部ｃの接地部分にそのモーメントが働くため、それに耐えうる強度を持たせる必要があり、堅牢な構造が必要であるとともに、貯留タンクｄ下部の落下口の真下に計量器ａを設置するため、支持部ｂは計量器ａを避けるように中空状のパイプをコの字状に組んで溶接加工を施すなど、複雑な形状の部品を作る必要があり、コストアップを招く、という課題を有していた。
【０００６】
そこで本発明は、上記課題に着目してなされたものであり、装置全体の低背化を図るとともに、ホッパー部分を極力薄型化して装置全体の小型化を図り、構造を簡略化して製造コストの削減が可能な粒体計量袋詰め装置を提供することを目的とする。
【課題を解決するための手段】
【０００７】
本発明の請求項１の粒体計量袋詰め装置は、開口した袋に粒体を導入するホッパーと、このホッパーの排出口を開閉するシャッターと、前記排出口の下部に配置する計量器とからなり、前記計量器で計測した粒体の量に応じて前記シャッターを開閉制御する粒体計量袋詰め装置において、前記ホッパーを箱型ケースで覆うとともに、この箱型ケースを支持脚で支持して全体としてテーブル型としたことを特徴とする。
【０００８】
本発明の請求項２の粒体計量袋詰め装置は、前記箱型ケースの前面一端部に操作パネルを配置するとともに、前記ホッパーが逆角錐型に組み合わせた４枚の面板で構成され、この各面板の下端部に前記排出口を形成し、この排出口を前記箱型ケースの中心前端寄りに偏移した位置に形成するとともに、前記ホッパーを構成する一部の面板は、前記操作パネルを避けるように、前記各面板の傾斜角をそれぞれ異なるように形成したことを特徴とする。
【０００９】
本発明の請求項３の粒体計量袋詰め装置は、前記ホッパーの内面に位置して前記排出口の上部に逆Ｖ字状の案内板を形成したことを特徴とする。
【発明の効果】
【００１０】
本発明の粒体計量袋詰め装置は、選別などといった特定の用途に限定されることなく、各種の用途において粒体の計量袋詰めが可能となるとともに、粒体計量袋詰め装置を全体に低背化したことにより、ホッパーの投入口高さを低くすることができ、粒体計量袋詰め装置に粒体を供給する側の機器の寸法的な制約も少なく、より汎用性を広げることができる。さらに、ホッパーを構成する面板のそれぞれの傾斜角を変えることで、ホッパーの排出口が装置の中心であり、かつ、装置の前面側に偏移した位置に形成することができ、袋詰め作業も容易である。また、ホッパーを薄型化して箱型ケース内に収容することによって、全体としてコンパクトなテーブル型となり、梱包形態もコンパクトであり、保管と輸送が便利になった。さらに、ホッパーに供給した粒体の荷重を箱型ケースの四隅に配置した４本の支持脚に分散させることができるため、脚部の強度を高めるための溶接加工等の補強も不要である。また、テーブル型の粒体計量袋詰め装置を計量器に跨がせるように設置できるため、粒体計量袋詰め装置を支持するベースをコの字状などにして計量器を避けるように配置する必要もないことから、脚部の組立加工も容易であり、製造コストの削減が可能であり、かつ、取り付け工事が不要であるため、設置すればすぐに作業も可能となる。
【００１１】
また、ホッパーの形状を工夫して箱型ケースの一端側に空間を設け、そこに操作パネルを一体的に取り付けたことにより、例えば、操作パネルを外付けする際の専用ケースが不要であり、また、操作パネルも出っ張ることなく、箱型ケースと連続してすっきりと一体化することができ、投入等の作業時に邪魔にならず、操作パネルへのホコリの付着を防げる。また、箱型ケース内に操作パネルの収容スペースを確保するのに十分な空間があるため、配線作業も容易であるとともに配線類もすっきりと箱型ケース内に収まる。また、箱型ケースに至る脚部が細いパイプ状であり、ネズミなどが移動できる足場が無いため、配線がかじられにくく、ショートなどの断線事故の発生を抑えることができる。
【００１２】
さらに、ホッパーの内面に位置して排出の上部に逆Ｖ字状の案内板を取り付けることによって、ホッパーによって排出口へと向かう粒体が案内板によって左右に振り分けられ、粒体が排出口に集中することなく、分散させることができ、排出口の詰まりを効果的に防止することができる。
【図面の簡単な説明】
【００１３】
【図１】本発明の一実施例を示す粒体計量袋詰め装置の使用状態を示す斜視図である。
【図２】同上、粒体計量袋詰め装置の正面図である。
【図３】同上、粒体計量袋詰め装置の側面図である。
【図４】同上、粒体計量袋詰め装置のホッパーを示す平面図である。
【図５】従来例の粒体計量袋詰め装置を示す斜視図である。
【発明を実施するための形態】
【００１４】
以下、添付図面を参照して本発明の一実施例を説明する。なお、本実施例において、計量袋詰めする対象として米穀等の粒体を例にして説明するが、特に米穀に限定されるものではない。
【００１５】
図１は本発明の粒体計量袋詰め装置１の一実施例を示す斜視図であり、粒体計量袋詰め装置１は、粒体を導入するホッパー２と、このホッパー２の排出口２ａを開閉するシャッター３と、前記ホッパー２の排出口２ａの下部に配置する計量器２０とからなり、例えば、揚穀機Ａの排出口シュートＣから粒体計量袋詰め装置１のホッパー２に粒体を供給し、計量器２０の上に袋ｈを載置してホッパー２の排出口２ａを開放することにより粒体の計量袋詰めを行うように構成されている。なお、ホッパー２への供給源として揚穀機Ａを示したが、例えば、選別機で選別した整米をホッパー２へと供給するようにしてもよく、ホッパー２への供給源は特に限定されるものではない。
【００１６】
前記ホッパー２は例えば図４に示すように、前後の面板５,６と左右の側面板７,８を逆四角錐状に組み合わせ構成されている。また、図２に示すように逆四角錐状のホッパー２は箱型ケース１０によって覆われており、前記ホッパー２の高さが低く抑えてホッパー２を覆う箱型ケース１０を薄型化し、この箱型ケース１０を４本の支持脚１１によって支持する。このように、ホッパー２を内蔵した箱型ケース１０を薄型化して４本の支持脚１１で支持することによって、図２に示すように粒体計量袋詰め装置１全体としてテーブル状を成す。
【００１７】
また、図４に示すように、前記ホッパー２の排出口２ａは、正面側から見て箱型ケース１０の中心Ｓに位置しているが、側面方向から見て箱型ケース１０の前面にほぼ揃えるように前端部に箱型ケース１０の中心から前側に偏移した位置に設けられている（図３参照）。すなわち、前記ホッパー２の前面板５は箱型ケース１０の前面と平行するように垂直に立設するとともに、ホッパー２の後面板６は、箱型ケース１０の後端部から排出口２ａに向かって傾斜している。一方、ホッパー２の左右の面板７，８は、それぞれ排出口２ａに向かって傾斜しているものの、箱型ケース１０の前面には計量する粒体の重量設定や粒体の重量表示などを行う操作パネル１２が設けられており、この操作パネル１２が正面側から見て右側端部に配置されていることから、その操作パネル１２を避けるように、前記ホッパー２の右側面板８は左側面板７より角度が鋭角に傾斜している。すなわち、逆四角錐のホッパー２を構成する4枚の面板５〜８はそれぞれ傾斜角が異なる。
【００１８】
また、図４に示すように、ホッパー２の内面には前記排出口２ａ上に位置して、逆Ｖ字状の案内板１４が取り付けられており、案内板１４によって前記揚穀機Ａから供給される粒体を左右に振り分けることによって、粒体が排出口２ａに集中して詰まることなく、分散させている。なお、箱型ケース１０の上面には揚穀機Ａから供給される粒体をホッパー２へと導入案内する案内ホッパー２５が着脱自在に取り付けられており、ホッパー２に粒体を供給する機器に応じて案内ホッパー２５は、ホッパー２と連続するように箱型ケース１０の上面に取り付けることが可能であるとともに、案内ホッパー２５は粒体計量袋詰め装置１の後方に向かって張り出すように鋭角に傾斜するように形成され、ホッパー２に粒体を供給する機器、例えば籾摺り機などから粒体計量袋詰め装置１のホッパー２へと安定して導入案内することができ、他の供給機器との接続も容易である。
【００１９】
前記計量器２０に袋ｈを保持する着脱自在な左右一対のスタンド２１を装着する。このスタンド２１は計量袋詰め装置１のオプションとして計量器２０とは別部品として構成され、計量時に計量器２０にスタンド２１を装着し、スタンド２１に取り付けた左右一対の保持具２２で袋ｈの上端を把持することによって袋ｈを開口保持し、袋ｈ内に収納される粒体の重量を前記計量器２０で計測する。そして、シャッター３を作動させるシャッター作動部材（図示せず）およびこれらを制御する制御手段と計量器２０とを電気的に接続し、計量器２０の計量結果に応じてシャッター作動部材の作動を制御するように構成されている。なお、本実施例においては、袋ｈを保持するスタンド２１（保持具２２を含む）をオプションとして計量器２０とは別部品として構成した例を示したが、計量器２０とスタンド２１（保持具２２）とを一体化した構造であってもよく、また、単に計量器２０に開口した袋ｈを載置して計量器２０にて袋ｈ内に収納される粒体の重量を計測する、すなわち、保持具２２を含むスタンド２１を省略する構成であってもよい。さらに、袋ｈを保持する専用の袋立て器などで保持する構成であってもよく、袋ｈを保持するための機構は適宜選定すればよい。
【００２０】
以上のように構成される本発明の粒体計量袋詰め装置１の動作について説明する。まず、操作パネル１２を操作し、袋ｈに袋詰めする粒体の量を設定する。次に排出口２ａの下方に設置された計量器２０の上に袋ｈを載置し、その袋口を保持具２２で挟むことによって、開口した袋ｈを起立した状態で保持する。この時、ホッパー２の排出口２ａのシャッター３は全開として、揚穀機Ａを起動し、揚穀機Ａから供給される粒体を揚穀機Ａの排出口シュートＣから粒体計量袋詰め装置１のホッパー２に供給する。ホッパー２に供給される粒体は、ホッパー２の排出口２ａから袋ｈ内に供給され、袋ｈ内の粒体が設定した量に達すると、シャッター３が閉じ、粒体の計量袋詰めが完了する。
【００２１】
以上説明したように、本実施例においては、粒体の搬送あるいは選別する揚穀機Ａなどの装置と、粒体計量袋詰め装置１とを分離して構成した粒体計量袋詰め装置１において、ホッパー２を箱型ケース１０内に収容し、ホッパー２を薄型化し、かつ、粒体計量袋詰め装置１を全体に低背化したことにより、ホッパー２の投入口高さを低くすることができ、より汎用性が広がった。さらに、ホッパー２を構成する面板５〜８のそれぞれの傾斜角を変えることで、ホッパー２の排出口２ａが装置の中心であり、かつ、装置の前面側に偏移した位置に形成することができ、しかも、操作パネル１２を避けるようにしてホッパー２を形成することにより、計量袋詰め作業も容易である。また、ホッパー２を薄型化して箱型ケース１０内に収容することによって、全体としてコンパクトなテーブル型となり、梱包形態もコンパクトであり、保管と輸送が便利になった。さらに、４本の支持脚１１でホッパー２を収容した箱型ケース１０を支持することによって、図５の従来例に示す１本の支柱で粒体の荷重を支える構造に比べてホッパー２に供給した粒体の荷重を箱型ケース１０の四隅に配置した４本の支持脚１１によって分散させることができるため、脚部１１の強度を高めるための溶接加工等の補強も不要である。また、テーブル型の粒体計量袋詰め装置１を計量器２０に跨がせるように設置できるため、粒体計量袋詰め装置１を支持するベースをコの字状などにして計量器２０を避けるように配置する必要もないことから、脚部１１の組立加工も容易であり、製造コストの削減が可能である。また、ホッパー２の内面に位置して排出口２ａの上部に逆Ｖ字状の案内板１４を取り付けることによって、ホッパー２によって排出口２ａへと向かう粒体が案内板１４によって左右に振り分けられ、粒体が排出口２に集中することなく、分散させることができ、排出口２の詰まりを効果的に防止することができる。
【００２２】
さらに、ホッパー２の形状を工夫して箱型ケース１０の一端側に空間を設け、そこに操作パネル１２を一体的に取り付けたことにより、例えば、操作パネル１２を外付けする際の専用ケースが不要であり、また、操作パネル１２も出っ張ることなく、箱型ケース１０と連続してすっきりと一体化することができ、投入等の作業時に邪魔にならず、操作パネル１２へのホコリの付着を防げる。また、箱型ケース１０内に操作パネル１２の収容スペースを確保するのに十分な空間があるため、配線作業も容易であるとともに配線類もすっきりと箱型ケース１０内に収まる。さらに、箱型ケース１０に至る脚部１１が細いパイプ状であり、ネズミなどが移動できる足場が無いため、配線がかじられにくい、などの付随的効果を奏することができる。さらに、取り付け工事が不要であり、設置すればすぐに作業も可能となる。
【００２３】
以上、本発明の一実施例について詳述したが、本発明は前記実施例に限定されるものではなく、本発明の要旨の範囲内で種々の変形実施が可能である。例えば、選別対象は米穀等の粒体に限らず各種の粒体に適用可能である。
【符号の説明】
【００２４】
１  粒体計量袋詰め装置
２  ホッパー
２ａ  排出口
３  シャッター
５  前面板
６  後面板
７  左側面板
８  右側面板
１０  箱型ケース
１１  支持脚
１２  操作パネル
１４  案内板
２０  計量器
２１  スタンド
２２  保持具
２５  案内ホッパー
Ａ  揚穀機
Ｃ  排出口シュート
ｈ  袋
【図１】
2014211441.tif 000003
【図２】
2014211441.tif 000004
【図３】
2014211441.tif 000005
【図４】
2014211441.tif 000006
【図５】
2014211441.tif 000007
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
開口した袋に粒体を導入するホッパーと、このホッパーの排出口を開閉するシャッターと、前記排出口の下部に配置する計量器とからなり、前記計量器で計測した粒体の量に応じて前記シャッターを開閉制御する粒体計量袋詰め装置において、
前記ホッパーを箱型ケースで覆うとともに、この箱型ケースを支持脚で支持したことを特徴とする粒体計量袋詰め装置。
【請求項２】
前記ホッパーの前面板は前記箱型ケースの前面と平行するように垂直に立設するとともに、前記ホッパーの後面板は前記箱型ケースの後端部から前記排出口に向かって傾斜していることを特徴とする請求項１に記載の粒体計量袋詰め装置。
【請求項３】
前記箱型ケースに揚穀機などから供給される粒体を前記ホッパーへと導入案内する案内ホッパーを着脱自在に取り付けたことを特徴とする請求項１又は２に記載の粒体計量袋詰め装置。
【請求項４】
前記案内ホッパーは、前記ホッパーと連続するように前記箱型ケースの上面に取り付けたことを特徴とする請求項３に記載の粒体計量袋詰め装置。
【請求項５】
前記案内ホッパーは、前記箱型ケースの後方に向かって張り出すように傾斜させて形成したことを特徴とする請求項３又は４に記載の粒体計量袋詰め装置。
【手続補正２】
【補正対象書類名】明細書
【補正対象項目名】０００７
【補正方法】変更
【補正の内容】
【０００７】
本発明の請求項１の粒体計量袋詰め装置は、開口した袋に粒体を導入するホッパーと、このホッパーの排出口を開閉するシャッターと、前記排出口の下部に配置する計量器とからなり、前記計量器で計測した粒体の量に応じて前記シャッターを開閉制御する粒体計量袋詰め装置において、前記ホッパーを箱型ケースで覆うとともに、この箱型ケースを支持脚で支持したことを特徴とする。
【手続補正３】
【補正対象書類名】明細書
【補正対象項目名】０００８
【補正方法】変更
【補正の内容】
【０００８】
本発明の請求項２の粒体計量袋詰め装置は、前記ホッパーの前面板は前記箱型ケースの前面と平行するように垂直に立設するとともに、前記ホッパーの後面板は前記箱型ケースの後端部から前記排出口に向かって傾斜していることを特徴とする。
また、本発明の請求項３の粒体計量袋詰め装置は、前記箱型ケースに揚穀機などから供給される粒体を前記ホッパーへと導入案内する案内ホッパーを着脱自在に取り付けたことを特徴とする。
【手続補正４】
【補正対象書類名】明細書
【補正対象項目名】０００９
【補正方法】変更
【補正の内容】
【０００９】
本発明の請求項４の粒体計量袋詰め装置は、前記案内ホッパーは、前記ホッパーと連続するように前記箱型ケースの上面に取り付けたことを特徴とする。
さらに、本発明の請求項５の粒体計量袋詰め装置は、前記案内ホッパーは、前記箱型ケースの後方に向かって張り出すように傾斜させて形成したことを特徴とする。